(57)【要約】【課題】  物干し竿に吊した干し物を主に雨や埃などから保護するために覆うことのできる物干カバーに関し、従来よりもさらに不使用時におけるコンパクト化を図り、物干し竿に対する取り付け及び取り外しが容易な物干カバーを提供する事を目的とする。【解決手段】  物干し竿５ａに取り付けるための少なくとも２以上の竿取付体２ａと、該各竿取付体２ａの間に張設可能であると共に物干し竿５ａの干し物６ａを覆うためのシート体３ａとから構成した物干カバー１ａであって、前記竿取付体２ａは、物干し竿５ａに脱着自在に取り付けるための第一取付部２１ａ及び第二取付部２２ａを夫々設けると共に、該第一取付部２１ａ及び第二取付部２２ａとの間にシート体３ａの縁部３１ａを取り付けるためのシート取付部２４ａを設けて構成した。【選択図】  図２
2007319624.tif 000002
【特許請求の範囲】
【請求項１】
物干し竿に取り付けるための少なくとも２以上の竿取付体と、該各竿取付体の間に張設されるシート体とからなる物干カバーであって、
前記竿取付体は、物干し竿に対して脱着自在に取り付け可能な１つ又は２つ以上の取付部と、当該取付部に設けられて前記シート体の縁部を保持するシート取付部とを備えて形成され、
前記取付部の内の少なくとも1つは、各竿取付体の間に張設されたシート体を、物干し竿の上方に保持する位置に設けられていることを特徴とする物干カバー。
【請求項２】
前記竿取付体が備える取付部は、物干し竿を挟持可能な挟持構造を備える第二取付部と、フック状に形成された第一取付部とであり、
当該第一取付部は、各竿取付体の間に張設されたシート体を、物干し竿の上方に保持する位置に設けられている請求項１記載の物干カバー。
【請求項３】
前記竿取付体が備えるシート取付部は長尺状であって、当該シート取付部は前記竿取付体間に張設したシート体の物干し竿に交差する縁部を保持している請求項１又は２記載の物干カバー。
【請求項４】
前記シート体における、前記シート取付部に保持される縁部にはフレーム部材を沿設したことを特徴とする請求項１〜３の何れか一項記載の物干カバー。
【請求項５】
前記シート取付部に、開口部を前記物干し竿の長さ方向における前後一対として形成し、該開口部に前記シート体の前記縁部を脱着自在に取り付けられるようにしたことを特徴とする請求項１〜４の何れか一項記載の物干カバー。
【請求項６】
前記シート体は放電撥水シートであることを特徴とする請求項１〜５の何れか一項記載の物干カバー。
【発明の詳細な説明】
【技術分野】
【０００１】
本発明は、物干し竿に吊した干し物を主に雨や埃などから保護するために覆うことのできる物干カバーに関するものである。
【背景技術】
【０００２】
従来より、室外において洗濯物などの干し物を干す際、物干しハンガーなどを使用して物干し竿に吊し、外部空気や陽光によって乾燥や殺菌することが行われていた。そして従前においては、雨や大気中の埃が干し物に付着して汚れないようにするための物干カバーが、特許文献1及び２で提案されている。
【０００３】
特許文献1で提案されている物干し傘（物干カバー）は、図１１に示すように、竿かけ部１と骨枠部２とカバーシートとで構成されており、該竿かけ部１を樋状湾曲体として、その内側面で物干し竿に取り付けられるものとし、骨枠部２（フレーム部材）を少なくとも２本の腕部４とそれぞれの腕部の一端部を結合する縁部５からなる対体から構成して、対体のそれぞれを２本の腕部の他端で竿かけ部に対称的に、且つ、回動自在に連結し、使用時において竿かけ部を頂点として両縁部が下方に傾斜するものとし、カバーシートで骨枠部及び竿かけ部を覆って、全体として屋根状体に構成したものである。
【０００４】
この物干し傘は、前記竿かけ部１と前記骨枠部２を１組として、前後に複数組設けたものであり、各組は間隔を置いて配置されると共に、伸縮自在に連結具７で連結されて構成されている。そして実際の使用に際しては、２つの竿かけ部の間の物干し竿に角形ハンガーを掛け、接続片を介して前記骨枠部２の前記腕部４又は縁部５を角形ハンガーに固定して使用され、洗濯物干し角形ハンガー及び干し物の自重で安定的に物干し竿の上部に固定されるものである。
【０００５】
尚、前記竿かけ部１は、物干し竿の長さ方向に長く形成されており、また２本の腕部４の端部を結合する前記縁部５も同様、物干し竿の長さ方向と略平行に形成されている。
【０００６】
特許文献２では、小雨程度の雨であれば洗濯物を濡らすようなことがなく、また街の美観の向上にも役立つことができる物干し竿用雨除けカバーが提案されており、この雨除けカバーは洗濯物の上部を屋根状に覆うべく、やや剛性を有する防水性シートによって形成されたカバー体と、そのカバー体を物干し竿に着脱自在に取付けるための係止部材とで構成されている。このうち、カバー体は、その使用中にハンガーの形に沿って窪むことがないように、やや剛性が付与されたものとして具体化されている。
【特許文献１】実登第３００９８８９号公報（第２頁、図２）
【特許文献２】特開２０００−３５４６９８
【発明の開示】
【発明が解決しようとする課題】
【０００７】
ところで、前記特許文献1で提案されている物干カバーは、伸縮自在の連結具を設けることで、ある程度コンパクト化を図っているのだが、竿かけ部を物干し竿の長さ方向に長く形成したり、また、同方向に略平行に形成されたフレーム部材の縁部の存在のために、物干し竿の長さ方向においてそれ以上コンパクトにすることはできなかった。
【０００８】
また特許文献２で提案されている雨除けカバーも、カバー体自体がやや剛性を有する防水性シートで形成されていることから、物干し竿の長さ方向においてコンパクトにすることはできなかった。
【０００９】
そのため、上記特許文献１や２で提案されているものは、不使用時において物干カバーを畳んで物干し竿に取り付けた状態のままにしておくこともできず、わざわざ物干し竿から物干カバーを取り外さなければならないという煩わしさがあった。
【００１０】
更に特許文献1で提案されているものにあっては、前記のように物干しハンガーを物干カバーのフレーム部材に固定するものであることから、雨があがって干し物を直接陽光に照射したい場合などにおいて、物干しハンガーをひとまずフレーム部材から取り外し、それから物干し竿に掛け直さなければならず面倒であった。
【００１１】
そこで、本発明は、上記問題点を解消する為に成されたものであり、従来よりもさらにコンパクト化を図り、不使用時に物干し竿に取り付けた状態のままでも極力スペースをとらず、また、物干しハンガーを物干し竿に掛けた状態でも物干し竿に対する取り付け及び取り外しが容易な物干カバーを提供する事を目的とするものである。
【課題を解決するための手段】
【００１２】
すなわち、本発明の物干カバーは、物干し竿に取り付けるための少なくとも２以上の竿取付体と、該各竿取付体の間に張設されるシート体とからなる物干カバーであって、前記竿取付体は、物干し竿に対して脱着自在に取り付け可能な１つ又は２つ以上の取付部と、当該取付部に設けられて前記シート体の縁部を保持するシート取付部とを備えて形成され、  前記取付部の内の少なくとも1つは、各竿取付体の間に張設されたシート体を、物干し竿の上方に保持する位置に設けられている。
【００１３】
かかる本発明の物干カバーによれば、シート体を展開させることにより、広い範囲において物干し竿に掛けられた干し物を覆うことができ、また、前記各竿取付体の間を自在に拡縮調節することによって覆う範囲を調節したり、さらには不使用時においては、前記各竿取付体を互いにつけ合わせてシート体が畳まれたコンパクトな状態とし、この状態において前記物干し竿の片側に寄せて、邪魔にならないように吊り下げておくことができる。特に、このような効果を得るためには、上記の構成の他、更にシート体が柔軟性を有するもの、乃至は可撓性を有して形成されることが望ましい。
【００１４】
よって、上記本発明の物干カバーでは、干し物を物干し竿に掛けた状態でも、物干し竿との取り付け及び取り外しが容易であり、しかも簡易で軽量な構造であるため、コンパクトにして他の場所に収納保管し易いものとなっている。また、上記の構成に係る物干しカバーによれば、物干し竿があれば設置することができ、更に雨や埃などから洗濯ものを保護するのみならず、例えば女性の肌着など、他人に見られたくない物を干す時にも使用することができる。即ち、本発明に係る物干しカバーは、簡易に展開・収納保管を行いえるものであるから、洗濯物（干し物）の種類によって任意に使用することのできる、物干しカバーとなっている。
【００１５】
なお上記取付部は、少なくともその1つが、各竿取付体の間に張設されたシート体を、物干し竿の上方に保持する位置に設けらることが必要であるが、その他の取付部の設置箇所は何れかを問わない。但し望ましくは、シート体を物干し竿の上方に保持する取付部と、他の１つの取付部とは、相互に対称配置されることが望ましい。
【００１６】
上記本発明に係る物干カバーは、竿取付体が備える取付部を、物干し竿を挟持可能な挟持構造を備える第一取付部と、フック状に形成された第二取付部とからなるものとし、第一取付部は、各竿取付体の間に張設されたシート体を物干し竿の上方に保持できるような位置に設ける事が望ましい。
【００１７】
かかる構成を伴う物干カバーでは、挟持構造を備える第一取付部で物干し竿を挟持することにより竿取付体が物干し竿に固定され、当該第一取付部は各竿取付体の間に張設されたシート体を物干し竿の上方に保持する位置に形成されることから、物干し竿に掛けられた干し物を雨などから保護することができる。かかる第一取付部は、方形に形成されたシート体の、使用時における物干し竿延伸方向に交差する辺の略中間であって、当該シート体の下方に存在する位置に形成することができる。
【００１８】
上記第一取付部は、使用時において、本発明に係る物干しカバーを物干し竿に取り付けるように機能するものであるが、一方で本発明に係る物干しカバーは、上記第二取付部を備え、当該第二取付部は、不使用時の物干しカバーをコンパクトにして物干し竿に取り付けられるようにすることができる。より具体的には、不使用時には各竿取付体を互いにつけ合わせてることで、シート体が物干し竿に干渉することなく畳まれるか、または垂れ下がってよりコンパクトになり易くなる。
【００１９】
更に上記のように竿取付体の第一取付部を挟持構造とし、第二取付部をフック状に形成している物干カバーでは、第二取付部における物干し竿との取り付け（即ち吊り下げ）及び取り外しが容易となり、また使用時においては第一取付部でしっかりと物干し竿に挟持固定することができる。
【００２０】
上記竿取付体とシート体との組み合わせ構造に関して、例えば竿取付体が備えるシート取付部を長尺状に形成し、当該シート取付部で前記竿取付体間に張設したシート体の物干し竿に交差する縁部を保持することができる。また、前記竿取付体の前記シート取付部に取り付ける前記シート体の前記縁部に、フレーム部材を沿設し、このフレーム部材をシート取付部で保持することもできる。このように形成することにより、シート体をしっかりと張り伸ばして干し物を覆うことができ、またシート体をコンパクトにする際に、畳まれる方向が定まり易く、より綺麗に纏めることができる。
上記長尺状に形成されたシート取付部、又はフレーム部材は、その全体形状が中央で曲折するか、或いは全体的に湾曲する形状とし、使用状態において中央部が頂部を形成する形状であることが望ましい。シート取付部やフレーム部材の形状に沿って展開するシート体上に雨水等が溜まることをなくす為である。
【００２１】
さらに、本発明の物干カバーでは、前記シート取付部に、開口部を前記物干し竿の長さ方向における前後一対として形成し、該開口部に前記シート体の前記縁部を脱着自在に取り付けられるようにすることができ、これにより複数のシート体を前後に連結することができ、物干し竿の長さや使い方などに応じて自由自在に大きさや形態を変化させることができるので便利なものとなる。
【００２２】
また、本発明の物干カバーでは、前記シート体として放電撥水シートを使用することにより、撥水効果に優れると共に、静電気の帯電がないことから埃が付着しにくく、外部の汚れから干し物を保護することができる。
【発明を実施するための最良の形態】
【００２３】
以下に、本発明の物干カバーを、図面に示す一実施形態に基づきこれを詳細に説明する。図１は本発明の物干カバーの一実施形態を示す斜視図であり、図２及び図３は本発明の物干カバーの一実施形態を示す使用状態図であり、図４は本発明の物干カバーを不使用時にコンパクトにした一実施形態を示す斜視図である。図５は本発明の物干カバーにおける竿取付体の一実施形態を示す斜視図であり、図６は本発明の物干カバーを第一取付部である下側取付部により物干し竿に取り付けた一実施形態を示す部分正面図であり、図７は本発明の物干カバーを第二取付部である上側取付部により物干し竿に取り付けた一実施形態を示す部分正面図であり、図８及び図９は本発明の物干カバーにおける竿取付体とシート体とを連結した一実施形態を示す部分側面図であり、図１０は他の実施の形態に係る物干カバーにおける竿取付体の一実施形態を示す斜視図であり、図１１は従来技術を示す参考図である。
【００２４】
すなわち、本発明の物干カバー１は、図１及び図２の実施形態で示したように、物干し竿５ａに脱着自在に取り付けるための少なくとも２以上の竿取付体２ａ・２ａと、該各竿取付体２ａ・２ａの間に張設可能であると共に、物干し竿５ａに物干しハンガー６１ａによって吊り下げられた干し物６ａを覆うための傘となるシート体３ａとから構成したものである。
【００２５】
図５乃至図７に示すように、前記竿取付体２ａはその上部及び下部において、前記物干し竿５ａに脱着自在に取り付けるための上側取付部（第二取付部）２１ａ及び下側取付部（第一取付部）２２ａを夫々設けている。但し、この第二取付部としての上側取付部２１ａは、物干カバー１の側方に突起する様に形成することもでき、その場合には、当該第二取付部は、後述するフレーム部材４ａの先端などに形成することができる。
【００２６】
図面の実施形態では、前記上側取付部２１ａを、先端を湾曲させた棒形状とし、その湾曲部分を前記物干し竿５ａに掛けられるようにフック状に形成したものを示している。
【００２７】
また、前記下側取付部２２ａは後述するが、前記物干し竿５ａを挟持可能とする挟持構造にしたものである。
【００２８】
これら上側取付部２１ａ及び下側取付部２２ａは、物干し竿５ａに主に対応したものであるが、竿に限らず他の物にも自由に掛けたり、または挟持させたりすることも可能である。
【００２９】
前記上側取付部２１ａ及び前記下側取付部２２ａは、一体形成されたものでもよいが、図面で示すように連結部２３ａにてそれらが嵌合又は接着されたものであってもよい。例えば、下側取付部２２ａの上端適所に差し込み穴を設け、上側取付部２１ａの下端を該穴に差し込む構造とすることができる。
【００３０】
本実施の形態において、前記下側取付部２２ａは、使用者が手で把握する部分である把握部２２２ａと、前記物干し竿５ａを挟持する部分である開閉自在な開口部２２３ａと、該開口部２２３ａを閉口状態となる方向に常時付勢するためのバネ２２１ａと、開口部２２３ａの開閉の軸となる回転軸２２４ａとから構成している。
【００３１】
それで、前記把握部２２２ａを使用者が把握して力を付すと、前記バネ２２１ａの付勢方向とは逆に加力され、前記回転軸２２４ａを軸として前記開口部２２３ａが開口状態となり、次いで物干し竿５ａを該開口部２２３ａに挿入すると共に把握部２２２ａから手を離して開口部２２３ａが物干し竿５ａの周部をバネ２２１ａの付勢力によりしっかりと挟持することで、図６に示すように竿取付体２ａは物干し竿５ａに取り付けられるのである。
【００３２】
このように、前記下側取付部２２ａにより前記物干カバー１ａは、前記物干し竿５ａにしっかりと固定されるのであるが、たとえ強風が吹いて物干し竿５ａの周部回りに下側取付部２２ａが多少ずれたとしても、前記干し物６ａを掛けている前記物干しハンガー６１ａが前記シート体３ａの裏面に当接することで、該物干しハンガー６１ａがシート体３ａのフレームのような役目を果たして安定するのである。
【００３３】
また、前記下側取付部２２ａは前記物干し竿５ａに対して着脱自在であるため、前記物干しハンガー６１ａを物干し竿５ａに掛けた状態でも、前記物干カバー１ａは該物干し竿５ａに対する取り付け及び取り外しが容易である。
【００３４】
図５及び図８に示すように、前記竿取付体２ａの前記上側取付部２１ａと前記下側取付部２２ａとの間に、該シート体３ａの縁部３１ａを着脱自在に取り付けるためのシート取付部２４ａを設けている。
【００３５】
前記シート取付部２４ａは、少なくとも一つの開口部２４１ａを設けているが、図面の実施形態では、該開口部２４１ａは挿入口のみを狭めた形状とし、前記シート体３ａの縁部３１ａを該開口部２４１ａに挿入し、該挿入口の狭めた部分により該縁部３１ａが挟持状に固定されるようにしている。尚、該開口部２４１ａに対してシート体３ａの縁部３１ａは着脱自在となるようにしている。
【００３６】
さらに図面では、前記シート取付部２４ａに設けた前記開口部２４１ａを、前記物干し竿５ａの長さ方向における前後一対として形成したものを示している。
【００３７】
前記シート体３ａは軟性の材質であり、広げると矩形状のシートである。また、図１、図６、図８に示すように、前記竿取付体２ａの前記シート取付部２４ａに取り付ける前記シート体３ａの前記縁部３１ａに、フレーム部材４ａ・４ａを沿設している。
【００３８】
前記フレーム部材４ａは、前記シート体３ａが前記各竿取付体２ａ・２ａの間において山型形状に張設するよう、左右対称として中間部から左右両端にかけて下方へ傾斜した形状としている。
【００３９】
また、図面の実施形態では、前記フレーム部材４ａの左右両端からさらに所定の長さにおいて垂下させた垂下部４１ａを設けたものを示しており、該フレーム部材４ａの垂下部４１ａよりさらに下方に延設されるように前記シート体３ａを形成することにより、図２に示すように前記干し物６ａの上部だけでなく下部まで覆われるようにすることができる。
【００４０】
さらに、図１、図６、図８の実施形態に示すように、前記シート体３ａの前記両端縁部３１ａにおいて、該縁部３１ａに沿って孔状のフレーム挿通孔部３２ａを設け、該フレーム挿通孔部３２ａにフレーム部材４ａを挿通させるようにしている。
【００４１】
そして、図８に示すように前記フレーム挿通孔部３２ａに挿通された前記フレーム部材４ａを、前記シート取付部２４ａの前記開口部２４１ａに挿入挟持させることにより、前記竿取付体２ａに対して前記シート体３ａを取り付けられるようにしている。尚、竿取付体２ａに対してフレーム部材４ａは着脱自在となるよう構成することができる。
【００４２】
前記シート体３ａの材質は雨水が浸透したり漏れたりしないよう、前記干し物６ａを保護できるものであるならば種類を問わない。しかしながら、撥水効果があり埃が付着しにくい放電撥水シートは特に適していると考えられる。
【００４３】
他にも前記シート体３ａの材質として、物干カバー１ａの使用時でも前記干し物６ａに陽光が十分に照射されるように透過性の高い材質や、それとは逆に陰干し用となる透過性の低い材質のシート材を使用してもよい。
【００４４】
本発明の物干カバー１は上記のような構成であるため、図２に示すように前記物干し竿５ａに前記干し物６ａが全域に掛けられた状態でも、容易に該干し物６ａ全体を覆うことができる。
【００４５】
また、前記各竿取付体２ａ・２ａの間に軟性の前記シート体３ａを設けた構成であるため、前記各竿取付体２ａ・２ａの間を自在に拡縮調節して、前記干し竿５ａに掛けられた前記干し物６ａのうち部分的に覆うことも可能である。
【００４６】
さらに、図４に示すように不使用時には、前記各竿取付体２ａを互いにつけ合わせると共にシート体３ａが畳まれるようにしてコンパクトにすることにより、物干カバー１ａを前記物干し竿５ａの片側に寄せておくことができる。
【００４７】
また、図４に示す形態は、前記物干カバー１ａの不使用時は、前記上側取付部２１ａを活用して物干し竿５ａに吊り下げるようにしている。
【００４８】
尚、前記物干カバー１ａは物干し竿５ａから容易に脱着でき、また簡易で軽量な構造であるため、コンパクトにして他の場所に収納保管するのにも便利である。
【００４９】
図３の実施形態は、前記竿取付体２ａを２つ以上使用したものであり、３つの竿取付体２ａの各間に前記シート体３ａ・３ａを夫々張設した構成を示している。
【００５０】
前記竿取付体２ａの前記シート取付部２４ａには、前述したように前後一対の開口部２４１ａ・２４１ａが設けられているため、図９に示すように２つの前記シート体３ａを連結することができる。
【００５１】
よって、図３に示すような２つの前記シート体３ａを連結する形態に限らず、３つ、又はそれ以上のシート体３ａを前記物干し竿５ａの長さや使い方に応じて連結したり、逆に一部のシート体３ａを適宜取り除いたりするなど、自由自在に形態を変化させることができて、大変有用である。
【００５２】
また図１０は、他の実施の形態に係る物干カバーの竿取付体の実施形態を示す斜視図であり、この図に示す様に、前記竿取付体２ｂは、それを構成する上側取付部（第二取付部）２１ｂと下側取付部（第一取付部）２２ｂとを一体形成することもできる。この図１０に示す竿取付体２ｂでは、上記の実施形態に示した部材乃至構造と同じような作用効果を奏する部材乃至構造については、前記の実施形態で使用した符号「ａ」を「ｂ」に変えて示し、その詳細な説明を省略する。
【００５３】
特にこの図１０に示す実施の形態では、前記シート取付部２４ｂを一つの開口部２４１ｂとして形成しており、この開口部２４１ｂは第一取付部又は第二取付部の何れかの側面に、フレーム部材４ａを保持するものとして形成することができる。
【００５４】
この実施の形態に示す竿取付体２ｂを用いて構成された物干カバーも、上記図１〜９の実施の形態に示した物と同じ作用効果を奏することができる。
【図面の簡単な説明】
【００５５】
【図１】本発明の物干カバーの一実施形態を示す斜視図である。
【図２】本発明の物干カバーの一実施形態を示す使用状態図である。
【図３】本発明の物干カバーの一実施形態を示す使用状態図である。
【図４】本実施の形態に係る物干カバーを不使用時にコンパクトにした一実施形態を示す斜視図である。
【図５】本実施の形態に係る物干カバーにおける竿取付体の一実施形態を示す斜視図である。
【図６】本実施の形態に係る物干カバーを下側取付部により物干し竿に取り付けた一実施形態を示す部分正面図である。
【図７】本実施の形態に係る物干カバーを上側取付部により物干し竿に取り付けた一実施形態を示す部分正面図である。
【図８】本実施の形態に係る物干カバーにおける竿取付体とシート体とを連結した一実施形態を示す部分側面図である。
【図９】本実施の形態に係る物干カバーにおける竿取付体とシート体とを連結した一実施形態を示す部分側面図である。
【図１０】他の実施の形態に係る物干カバーにおける竿取付体の一実施形態を示す斜視図である。
【図１１】従来技術を示す参考図である。
【符号の説明】
【００５６】
１ａ  物干カバー  
２ａ  竿取付体
２１ａ  上側取付部（第二取付部）
２２ａ  下側取付部（第一取付部）
２２１ａ  バネ
２２２ａ  把握部
２２３ａ  開口部
２２４ａ  回転軸
２３ａ  連結部
２４ａ  シート取付部
２４１ａ  開口部
３ａ  シート体
３１ａ  縁部
３２ａ  フレーム挿通孔部
４ａ  フレーム部材
４１ａ  垂下部
５ａ  物干し竿
６ａ  干し物
６１ａ  物干しハンガー
【図１】
2007319624.tif 000003
【図２】
2007319624.tif 000004
【図３】
2007319624.tif 000005
【図４】
2007319624.tif 000006
【図５】
2007319624.tif 000007
【図６】
2007319624.tif 000008
【図７】
2007319624.tif 000009
【図８】
2007319624.tif 000010
【図９】
2007319624.tif 000011
【図１０】
2007319624.tif 000012
【図１１】
2007319624.tif 000013